(57)【特許請求の範囲】
【請求項１】
遊技球を誘導する誘導羽根を備えた可動入賞装置と、
遊技球を入賞させ得る複数の始動入賞口を遊技盤上に設け、
前記始動入賞口への遊技球の入賞に基づいて、前記可動入賞装置内に遊技球を入賞させない第１状態から遊技球を入賞させ得る第２状態に所定の時間だけ前記誘導羽根が変化し、
前記可動入賞装置に入賞した遊技球が前記可動入賞装置内に設けられている特定領域を通過したことにより、前記誘導羽根を所定回数の範囲で前記第１状態と前記第２状態とに変化させるパチンコ機において、
前記可動入賞装置は、前記遊技盤に固定されるベース盤と、遊技球の入賞する空間部を形成する前記ベース盤に装着された隔壁部と、一端部が前記ベース盤に取り付けられ、前記第１状態になったときに前記空間部内への遊技球の入賞を阻止する機能を有し、その長さが前記空間部の遊技球入賞のための口の長さよりも短い長さに形成された前記誘導羽根から構成され、
前記誘導羽根が前記第１状態と前記第２状態とに変化するときの該誘導羽根の変動領域に前記ベース盤を設けないことで、前記誘導羽根が前記第１状態になったとき前記誘導羽根と前記ベース盤及びベース盤に装着された隔壁部とが重なり合わないように前記遊技盤が露出され、
前記誘導羽根の変動領域に位置する部分の前記ベース盤及びベース盤に装着された隔壁部を設けない部分には、可変入賞装置周辺部分から誘導羽根の変動領域部分にかけて、一連の図柄が、遊技盤の表面に貼り付けられたセル盤上に描かれていることを特徴とするパチンコ機。
【請求項２】
前記可動入賞装置を構成する前記ベース盤および前記隔壁部は、前記誘導羽根の上方側に配設される上ベース盤および上隔壁部と、前記誘導羽根の下方側に配設される下ベース盤および下隔壁部とから構成されることを特徴とする請求項１に記載のパチンコ機。
【発明の詳細な説明】
【０００１】
【発明の属する技術分野】
本発明は、所定の条件を満たすことによって遊技者に不利な第１状態と、遊技者に有利な第２状態とに変化可能な羽根部材を有する入賞装置を備えた、いわゆる第２種のパチンコ機に関するものである。
【０００２】
【従来の技術】
従来の第２種のパチンコ機の例としては、図５に示すように、遊技領域５１の略中央部に、所定の条件を満たすことにより開閉動作を行なう左右２つの羽根５２ａ，５２ｂを有した可動入賞装置５３を備えるものが一般的である。
遊技盤５０には、ハンドル（図示省略）操作によって打出された遊技球を誘導する略円弧状の外レール５４ａ及び内レール５４ｂが設けられ、この２つのレール５４ａと５４ｂによって囲まれた部分が遊技領域５１を形成している。遊技領域５１には、可動入賞装置５３の他、遊技球の入賞に基づいて羽根５２ａ，５２ｂが開閉動作される始動入賞口５５、遊技球の一般入賞口５６、風車５７、および遊技釘（図示省略）等が設けられ、遊技球はこれらの部材に接触することにより方向及び速度を変化させ遊技領域５１を流下する。尚、遊技盤５０の表面にはセルロイド（キャブロイド）材からなるシート状のセル盤が貼り付けられており、パチンコ機を装飾する図柄等がこのセル盤上に描かれている。
【０００３】
図６に可動入賞装置５３および始動入賞口５５の一形態を示す。尚、可動入賞装置５３および始動入賞口５５を囲む円形部分は、遊技領域５１上に貼り付けられたセル盤５８を示す。
可動入賞装置５３は、ベース盤５９と隔壁部６０ａ，６０ｂと誘導羽根５２ａ，５２ｂとから概略構成され、セル盤５８（遊技盤５０）に形成された穴部に嵌入されている。ベース盤５９は、遊技盤５０に固定されており（例えば、ネジによる固定）、ベース盤５９の大きさが遊技盤５０上に占める可動入賞装置５３の縦方向および横方向の領域を略決定している。隔壁部６０ａ，６０ｂは、遊技球が入賞する可動入賞装置５３の空間部６１ａ，６１ｂを形成すると共に、誘導羽根５２ａ，５２ｂ部以外から空間部６１ａ，６１ｂ内に遊技球が流入するのを防止するために隔壁状にベース盤５９に取り付けられている。また、誘導羽根５２ａ，５２ｂは、その一端部６２ａ，６２ｂがベース盤５９に取り付けられ、実線で示す誘導羽根５２ａ，５２ｂと破線で示す誘導羽根５２ａ'，５２ｂ'の状態、即ち、誘導羽根の開状態と閉状態に変化する。この誘導羽根の開閉状態の変化は、可動入賞装置５３（遊技盤５０）の裏側に設けられた、ソレノイド等からなる駆動装置によって制御される。
【０００４】
可動入賞装置５３の下側には、始動入賞口５５ａ，５５ｂ，５５ｃが設けられている。遊技領域を流下した遊技球が始動入賞口５５ａ〜５５ｃのいずれかに入賞すると（図は遊技球６４ａが始動入賞口５５ａに入賞するところを示す）、各始動入賞口内に設けられた検出スイッチ６３ａ〜６３ｃによって遊技球の入賞が検出され、この検出に基づいて誘導羽根５２ａ，５２ｂの開閉動作が発生する。誘導羽根５２ａ，５２ｂの開状態時に可動入賞装置５３内に入賞した遊技球６４は、空間部６１ｂの上部に設けられた通過センサー６５ａ，６５ｂによってその入賞が検出される。
【０００５】
空間部６１ｂ内に入賞した遊技球６４は、空間部内６１ｂ内に設けられているＶ入賞口６６あるいはアウト口６７のいずれかに流入する（Ｖ入賞口およびアウト口に流入する遊技球の様子を模式的に矢印で示す）。Ｖ入賞口６６への遊技球の流入（入賞）により、大当たり状態が発生していない場合には大当たり状態を発生させ、大当たり状態が発生している場合にはその大当たり状態の継続ラウンドを更新させる。大当たり状態が発生すると、誘導羽根５２ａ，５２ｂの連続開閉動作が開始される。開閉動作は連続最大開閉回数（例えば、１８回）が完了するまで、あるいは連続最大開閉回数内に空間部６１ｂへ１０球の遊技球の入賞があるまで継続される。そして、これら連続開閉動作中に遊技球が再度Ｖ入賞口６６に入賞した場合には、再度上述した条件が満たされるまで継続して開閉動作が開始される。それぞれの条件（連続最大開閉回数が完了する、連続最大開閉回数内に１０球の入賞がある、連続開閉動作中に再度Ｖ入賞口に入賞する）が満たされるまでの期間を１ラウンドという。ラウンドは連続開閉動作中に遊技球が再度Ｖ入賞口６６に入賞することを条件として所定のラウンド（例えば、１６ラウンド）まで更新され得る。
【０００６】
Ｖ入賞口６６への遊技球の入賞はＶ入賞口６６内に設けられた検出スイッチ（図示省略）によって検出されている。Ｖ入賞口６６およびアウト口６７へ流入した遊技球は各口（６６，６７）から遊技盤５０の裏面側へ延びる通路を経由して所定の場所に集められる。そして、これら一連の遊技動作は、各検出スイッチ、検出センサー等から出力される検出信号に基づいて、遊技盤５０の裏面側に設けられた制御回路（ＣＰＵ）により制御されている。
【０００７】
【発明が解決しようとする課題】
このように、所定の条件に基づいて遊技盤５０の中央部に設けられた可動入賞装置５３の誘導羽根５２ａ，５２ｂを連続的に開閉動作させることは、短時間に多くの遊技球を獲得できるという期待感を遊技者に持たせる手段として有効なものである。そして、遊技者の遊技に対する興趣を高めるためには、この、より多くの遊技球を獲得できるという期待感をさらに遊技者に持たせることが必要とされる。
【０００８】
しかしながら、図６に示す従来の可動入賞装置５３の構造では、可動入賞装置５３の空間部６１ａ，６１ｂを形成する隔壁部６０ａ，６０ｂのみならず、開閉動作を行なう誘導羽根５２ａ，５２ｂもベース盤５９上に配置されているため、誘導羽根５２ａ，５２ｂが開閉動作を行なう遊技球の始動入賞口５５ａ〜５５ｃ入賞時、あるいは大当たり状態の発生時において、ベース盤５９と誘導羽根５２ａ，５２ｂとが重なってしまい、誘導羽根５２ａ，５２ｂの動作が視覚的に目立たないという欠点があった。この欠点はベース盤５９と誘導羽根５２ａ，５２ｂの色が類似している場合に顕著であり、視覚的に同化してしまい誘導羽根５２ａ，５２ｂが開状態になっても遊技球が誘導羽根５２ａ，５２ｂに誘導されて可動入賞装置５３内に入賞するという期待感を減退させる大きな要因となっていた。
【０００９】
また、近年、いわゆる２種のパチンコ機では、大当たり時の１ラウンドに可動入賞装置５３へ入賞する球数のばらつきをなくそうという趣旨から、入賞球数をカウントする通過センサー６５ａ，６５ｂを、例えば、誘導羽根５２ａ，５２ｂの直近に配置することが必要であり、そのため、可動入賞装置５３内に入賞した遊技球を装置内で一時保留させたり、Ｖ入賞口６６等へ導いたりする通路等を空間部６１ｂ内に形成することが必要となる。従って、可動入賞装置５３は、隔壁部６０ａ、誘導羽根５２ａ，５２ｂ、および通過センサー６５ａ，６５ｂで形成される空間部６１ａと、隔壁部６０ｂで形成される空間部６１ｂとの２段構造となり、可動入賞装置５３が大型化するという欠点もあった。このため、セル盤５８（遊技領域）に占める稼動入賞装置５３の面積が大きくなり、パチンコ機を装飾するために図柄等を描くことができるセル盤５８の領域が縮小するという欠点もあった。
【００１０】
そこで、本発明は、上記課題に鑑みてなされたものであり、可動入賞装置に設けられた開閉動作を行なう誘導羽根を遊技者に対してより大きく見せることができるパチンコ機、および可動入賞装置への遊技球の入賞の期待感を高めさせる図柄をセル盤上に描くことができるパチンコ機の提供を目的とするものである。
【００１１】
【課題を解決するための手段】
上記課題を解決するために、請求項１に係る発明は、遊技球を誘導する誘導羽根を備えた可動入賞装置と、遊技球を入賞させ得る複数の始動入賞口を遊技盤上に設け、前記始動入賞口への遊技球の入賞に基づいて、前記可動入賞装置内に遊技球を入賞させない第１状態から遊技球を入賞させ得る第２状態に所定の時間だけ前記誘導羽根が変化し、前記可動入賞装置に入賞した遊技球が前記可動入賞装置内に設けられている特定領域を通過したことにより、前記誘導羽根を所定回数の範囲で前記第１状態と前記第２状態とに変化させるパチンコ機において、前記可動入賞装置は、前記遊技盤に固定されるベース盤と、遊技球の入賞する空間部を形成する前記ベース盤に装着された隔壁部と、一端部が前記ベース盤に取り付けられ、前記第１状態になったときに前記空間部内への遊技球の入賞を阻止する機能を有し、その長さが前記空間部の遊技球入賞のための口の長さよりも短い長さに形成された前記誘導羽根から構成され、前記誘導羽根が前記第１状態と前記第２状態とに変化するときの該誘導羽根の変動領域に前記ベース盤を設けないことで、前記誘導羽根が前記第１状態になったとき前記誘導羽根と前記ベース盤及びベース盤に装着された隔壁部とが重なり合わないように前記遊技盤が露出され、前記誘導羽根の変動領域に位置する部分の前記ベース盤及びベース盤に装着された隔壁部を設けない部分には、可変入賞装置周辺部分から誘導羽根の変動領域部分にかけて、一連の図柄が、遊技盤の表面に貼り付けられたセル盤上に描かれていることを特徴とするものである。
【００１２】
ここで、第１状態とは、誘導羽根が可動入賞装置内に遊技球を入賞させない状態、即ち、誘導羽根の閉状態のことをいう。また、第２状態とは、誘導羽根が可動入賞装置内に遊技球を入賞させ得る状態、即ち、誘導羽根の開状態のことをいう。
誘導羽根が開閉動作を行なう領域、即ち、誘導羽根が開閉動作によって変動する領域にベース盤を配置させないで、セル盤（遊技盤）を露出させることにより、セル盤上の図柄等を描く領域を増加させると共に、誘導羽根の開閉動作を遊技者に明確に認識させる。
【００１３】
また、請求項２に係る発明は、請求項１に記載の発明において、前記可動入賞装置を構成する前記ベース盤および前記隔壁部は、前記誘導羽根の上方側に配設される上ベース盤および上隔壁部と、前記誘導羽根の下方側に配設される下ベース盤および下隔壁部とから構成されることを特徴とするものである。ベース盤を２分割して誘導羽根の上方側および下方側にそれぞれ配置させ、誘導羽根が開閉動作によって変動する領域の下部にはベース盤を配置させないようにする。
【００１４】
【発明の実施の形態】
以下、本発明に係るパチンコ機の実施の形態を添付図面に基づいて説明する。
図１および図２は、第２種パチンコ機の遊技領域の略中央部に配置されるいわゆる中央役物装置（以下、可動表示装置という）の一形態を示す正面図である。本発明は可動表示装置の構造に特徴を有するものであり、その他の部分の構造および機能等に関しては、従来の技術の欄で図５および図６に基づいて説明したパチンコ機の構造等と同様であるため、同じ部材には同一の符号を付し、またその詳細な説明は省略する。
【００１５】
図１および図２に示すように、可動入賞装置５３は、ベース盤１９と隔壁部６０ａ，６０ｂと誘導羽根５２ａ，５２ｂとから概略構成されている。また、可動表示装置５３は立体形状を有しており、その一部（可動表示装置の後部）はセル盤５８（遊技盤５０）に形成された穴部に嵌入されている。ベース盤１９は、遊技盤５０に固定されており（例えば、ネジ止めによる固定）、そのベース盤１９には、隔壁部６０ａ，６０ｂおよび誘導羽根５２ａ，６２ｂが取り付けられている。隔壁部６０ａ，６０ｂおよび誘導羽根５２ａ，５２ｂは、ベース盤１９に取り付けられたとき遊技盤５０面よりも前方に配置される。隔壁部６０ａ，６０ｂは、遊技球が入賞する可動入賞装置５３の空間部６１ａ，６１ｂを形成すると共に、誘導羽根５２ａ，５２ｂ部以外から空間部６１ａ，６１ｂ内へ遊技球が流入するのを防止する機能を有している。誘導羽根５２ａ，５２ｂは、その一端部６２ａ，６２ｂがベース盤１９の誘導羽根取り付け部１０ａ，１０ｂに取り付けられ、実線で示す誘導羽根と破線で示す誘導羽根の状態（図１参照）、即ち、誘導羽根の閉状態と開状態に変化する。
【００１６】
さらに詳しくは、可動入賞装置５３の空間部６１ａは隔壁部６０ａと誘導羽根５２ａ，５２ｂとによって形成され、空間部６１ｂは隔壁部６０ｂによって形成されている。そして、誘導羽根５２ａ，５２ｂが閉状態となったとき（誘導羽根を実線で表示）、可動入賞装置５３はその装置内に遊技球を入賞させない第１状態を形成する。また、誘導羽根５２ａ，５２ｂが開状態となったとき（誘導羽根を点線で表示）、可動入賞装置５３はその装置内に遊技球を入賞させ得る第２状態を形成する。図１は第１状態を示し、図２は第２状態を示している。誘導羽根５２ａ，５２ｂが開状態（第２状態）のとき、遊技領域を流下した遊技球は、直接あるいは誘導羽根５２ａ，５２ｂ伝いに転がって先ず空間部６１ａに入賞する、そして、空間部６１ａの下部（空間部６１ｂの上部）に設けられた通過センサー６５ａあるいは通過センサー６５ｂを通過して空間部６１ｂに入賞する。
【００１７】
誘導羽根５２ａ，５２ｂは、通常時は第１状態を形成しており、始動入賞口（図示省略）への入賞に基づいて、第１状態から一端（例えば、０.５秒間）第２状態となり再び第１状態に変化する一連の開閉動作を所定回数行なう。
また、誘導羽根５２ａ，５２ｂは、可動入賞装置５３に入賞した遊技球が空間部６１ｂ内のＶ入賞口６６に入賞することに基づいて所定回数の開閉動作（１８回の連続開閉動作、遊技球が１０球入賞するまでの連続開閉動作、遊技球が再度Ｖ入賞口へ入賞することを条件とする複数回のラウンド開閉動作等）を行なう。
【００１８】
ベース盤１９の略中央部の左右側には、切欠き部１１ａ，１１ｂが形成されている。切欠き部１１ａ，１１ｂの大きさは、少なくとも誘導羽根５２ａ，５２ｂが開閉動作によって通過する変動領域にベース盤１９が存在しない大きさに形成する。即ち、誘導羽根５２ａ，５２ｂが開閉動作を行なっているときに、遊技者から見て誘導羽根５２ａ，５２ｂとベース盤１９とが重なり合って存在しないように切欠き部１１ａ，１１ｂを形成する。
【００１９】
これにより、誘導羽根５２ａ，５２ｂは、可動入賞装置５３とは別個独立して開閉動作を行なっているように見えるので、従来の誘導羽根５２ａ，５２ｂの変動領域にベース盤が存在し開閉動作時に誘導羽根５２ａ，５２ｂとベース盤とが重なって見える構造と比較して、視覚的な誘導羽根５２ａ，５２ｂの大きさが大きく見え、遊技領域を流下する遊技球がより多く可動入賞装置５３内に入賞する感を遊技者に持たせることができる。
【００２０】
尚、誘導羽根５２ａ，５２ｂは、その一端部６２ａ，６２ｂがベース盤１９の誘導羽根取り付け部１０ａ，１０ｂに取り付けられているので、実際には、開閉動作を行なう誘導羽根の変動領域のベース盤が全て削除されているわけではない。従って、誘導羽根５２ａ，５２ｂを可動入賞装置５３から独立させ、視覚的により大きく見せるためには誘導羽根取り付け部１０ａ，１０ｂをより小さく形成することが望ましい。
【００２１】
ベース盤１９の切欠き部１１ａ，１１ｂには、遊技盤５０が位置することとなる。つまり、これによりセル盤５８の面積が増加し、図柄を描くことのできる領域が増加するとともに、可動入賞装置５３の周辺部から誘導羽根５２ａ，５２ｂの変動領域にかけてセル盤５８上に一連の図柄を描くことができる。
【００２２】
ところで、誘導羽根５２ａ，５２ｂの変動領域にベース盤１９が存在する従来の構造（図６参照）では、その変動領域に図柄を描く場合、その図柄はベース盤１９上に描いていた。しかしながら、ベース盤１９上に描かれた図柄とセル盤５８上に描かれた図柄とは視覚的に質の異なるものであり、可動入賞装置５３の周辺部（セル盤５８上）からベース盤１９上にかけて一連の図柄を描いた場合、異なる種類の図柄が描かれているように見え不自然さを感じさせるものであった。
【００２３】
従って、図１および図２に描かれているように、可動入賞装置５３の周辺部から誘導羽根５２ａ，５２ｂの変動領域である可動入賞装置５３の空間部６１ａ内にまで、一連の図柄（矢印図柄１３ａ，１３ｂ）をセル盤５８上に描くことができ、デザインの自由度が増し、自然な図柄を表示することができると共に、遊技球が可動入賞装置５３内により多く入賞する感を遊技者に持たせるという視覚的な作用を及ぼすことができる。
尚、図柄を描くセル盤５８の領域をより多くするために、切欠き部１１ａ，１１ｂの形成されているベース盤１９の中間部１２の幅（図１において左右方向の幅）は、狭い方が望ましい。
【００２４】
図３および図４は、可動表示装置の別の一形態を示す正面図である。
図に示すように、可動入賞装置５３'は、ベース盤２９ａ，２９ｂと隔壁部６０ａ，６０ｂと誘導羽根５２ａ，５２ｂとから概略構成されている。即ち、可動入賞装置５３を構成するベース盤および隔壁部を、二つの部分に分離し、誘導羽根の上方側に配設される上ベース盤２９ａおよび上隔壁部６０ａと、誘導羽根の下方側に配設される下ベース盤２９ｂおよび下隔壁部６０ｂとから構成している。
【００２５】
可動入賞装置５３'には、図１および図２に示した可動入賞装置５３と同様に空間部６１ａ，６１ｂが形成されている。空間部６１ａは隔壁部６０ａと誘導羽根５２ａ，５２ｂとによって形成され、空間部６１ｂは隔壁部６０ｂによって形成されている。
しかしながら、可動入賞装置５３'を構成するベース盤は、隔壁部６０ａの取り付けられている上ベース盤２９ａと、隔壁部６０ｂおよび誘導羽根５２ａ，５２ｂの取り付けられている下ベース盤２９ｂとに分離した構造を有している。そして、上ベース盤２９ａは隔壁部６０ａと略同じ形状および略同じ大きさに形成され、下ベース盤２９ｂは、隔壁部６０ｂが形成する形状に、誘導羽根５２ａ，５２ｂの一端部６２ａ，６２ｂを取り付ける誘導羽根取り付け部１０ａ，１０ｂの形状を足し合わせた形状および大きさに形成されている。また、上ベース盤２９ａおよび下ベース盤２９ｂは、それぞれ別個に遊技盤に固定されている。
【００２６】
従って、開閉動作を行なう誘導羽根５２ａ，５２ｂの変動領域にベース盤１９が存在しないのは勿論、空間部６１ａ内にもベース盤は存在しない。
このような構成において、誘導羽根５２ａ，５２ｂは一端部６２ａ，６２ｂを中心とした開閉動作を行ない、可動入賞装置５３'内に遊技球を入賞させない第１状態または遊技球を入賞させ得る第２状態を形成する。図３（実線で示す誘導羽根）は第１状態を示し、図４は第２状態を示している。
尚、可動入賞装置５３'の上部分を構成する部材として、上ベース盤２９ａおよび上ベース盤に取り付けられた隔壁部６０ａを使用したが、この形態に限定されず、可動入賞装置５３'への遊技球の入賞を防ぐことができるものであればよく、例えば、これらの部材に替えて遊技釘を遊技盤に植設するようにしてもよい。
【００２７】
これにより、誘導羽根５２ａ，５２ｂの周りの視覚的障害物（ベース盤）がさらに少なくなるので、誘導羽根５２ａ，５２ｂは、可動入賞装置５３とは全く独立して開閉動作を行なっているように見える。よって、誘導羽根５２ａ，５２ｂの変動領域にベース盤が存在し開閉動作時に誘導羽根５２ａ，５２ｂとベース盤とが重なって見えていた従来の構造と比較して、視覚的な誘導羽根５２ａ，５２ｂの大きさが大きく見え、遊技領域を流下する遊技球がより多く可動入賞装置５３'内に入賞する感を遊技者に持たせることができる。
【００２８】
尚、誘導羽根５２ａ，５２ｂは、その一端部６２ａ，６２ｂがベース盤１９の誘導羽根取り付け部１０ａ，１０ｂに取り付けられているので、実際には、開閉動作を行なう誘導羽根の変動領域のベース盤が全て削除されているわけではない。従って、誘導羽根５２ａ，５２ｂを可動入賞装置５３'から独立させ、視覚的により大きく見せるためには誘導羽根取り付け部１０ａ，１０ｂをより小さく形成することが望ましい。
【００２９】
また、誘導羽根５２ａ，５２ｂの周りの視覚的障害物（ベース盤）が少なくなることによりセル盤５８の面積が増加し、図柄を描くことのできる領域が増加するとともに、可動入賞装置５３の周辺部から誘導羽根５２ａ，５２ｂの変動領域さらには空間部６１ａにかけてセル盤５８上に一連の図柄（矢印図柄１３ａ，１３ｂおよび「ＨＡＮＥＭＯＮＯ」図柄）を描くことができる。従って、より自然な図柄をパチンコ機の遊技領域に表示することができ、遊技球が可動入賞装置５３内により多く入賞する感を遊技者に持たせるという視覚的な作用を及ぼすことができる。
尚、その他の可動入賞装置５３'の構造は、図１および図２に示す形態のものと同一である。
【００３０】
【発明の効果】
本発明に係るパチンコ機によれば、誘導羽根が開閉動作する領域にベース盤を存在させない（変動領域のベース盤を削除した）可動入賞装置の構造とすることにより、即ち、開閉動作を行なっている誘導羽根を、遊技者側から見たときに、誘導羽根の変動領域に他の部材が存在しない、遊技盤を露出させた可動入賞装置の構造とすることにより、開閉動作する誘導羽根を可動入賞装置とは別個独立した存在に見せることができ、視覚的な作用として誘導羽根の大きさを大きく見せることができるので、遊技領域を流下する遊技球をより多く可動入賞装置内に入賞する感を遊技者に持たせ、遊技者の興趣を高めることができる。
【００３１】
また、開閉動作する誘導羽根の変動領域のベース盤を削除することにより、可動入賞装置の周辺部から誘導羽根の変動領域部分（可動入賞装置の空間部内）にかけて、一連の図柄をセル盤上に描くことができるので、遊技領域に描くデザインの自由度が増し、より自然な図柄を表示することができ、遊技球が可動入賞装置内により多く入賞し得る感を遊技者に持たせ、遊技者の興趣を高めることができる。
【００３２】
また、可動入賞装置を構成するベース盤および隔壁部を、開閉動作する誘導羽根の上側のベース盤および隔壁部と下側のベース盤および隔壁部とに分離した構造にし、誘導羽根の変動領域のベース盤等の他の部材を削除した場合にも、開閉動作する誘導羽根の大きさを大きく見せることができると共に、図柄を描くことができる遊技領域（可動入賞装置内のセル盤領域）をより広くすることができるので、デザインの自由度が増し、より自然な図柄を表示することができ、遊技球が可動入賞装置内により多く入賞し得る感を遊技者に持たせ、遊技者の興趣を高めることができる。
【図面の簡単な説明】
【図１】本発明に係るパチンコ機の、可動入賞装置の一形態を示す正面図である。
【図２】本発明に係るパチンコ機の、可動入賞装置の一形態を示す正面図である。
【図３】本発明に係るパチンコ機の、可動入賞装置の別の一形態を示す正面図である。
【図４】本発明に係るパチンコ機の、可動入賞装置の別の一形態を示す正面図である。
【図５】従来のパチンコ機の、遊技盤の一形態を示す図である。
【図６】従来のパチンコ機の、可動入賞装置の一形態を示す正面図である。
【符号の説明】
１０ａ、１０ｂ  誘導羽根つり付け部
１１ａ１１ｂ  切欠き部
１２  中間部
１３ａ、１３ｂ、２１  図柄
１９  ベース盤
５０  遊技盤
５１  遊技領域
５２ａ、５２ｂ  誘導羽根
５３  可動入賞装置
５８  セル盤
６０ａ、６０ｂ  隔壁部
６１ａ  上空間部
６１ｂ  下空間部
６２ａ、６２ｂ  一端部
【図１】
0004108967.tif 000002
【図２】
0004108967.tif 000003
【図３】
0004108967.tif 000004
【図４】
0004108967.tif 000005
【図５】
0004108967.tif 000006
【図６】
0004108967.tif 000007